(57)【特許請求の範囲】
【請求項１】
画像データを蓄積すると共に、前記画像データに対する使用者のアクセス権を管理する共通色再現範囲決定装置であって、
所定の画像データと当該画像データに対する特定のアクセス権を有する使用者との関係を記憶する画像データアクセス権管理テーブルと、
前記使用者と当該使用者が使用可能な画像記録装置の色再現範囲を記憶する使用者属性情報管理テーブルと、
画像データアクセス権管理テーブルを参照し、記録対象である画像データに対する特定のアクセス権を有する使用者を抽出する使用者抽出手段と、
使用者属性情報管理テーブルを参照し、前記使用者抽出手段により抽出した使用者が使用可能な画像記録装置の色再現範囲を抽出する色再現範囲抽出手段と、
前記色再現範囲抽出手段により抽出した色再現範囲に共通する色再現範囲を決定し、前記画像データの色再現範囲とする色再現範囲決定手段と、
を有することを特徴とする共通色再現範囲決定装置。
【請求項２】
前記特定のアクセス権は、前記記録対象である画像データに対する読取り権限を有するアクセス権であることを特徴とする請求項１に記載の共通色再現範囲決定装置。
【請求項３】
前記特定のアクセス権は、前記記録対象である画像データに対する書き込み権限を有するアクセス権であることを特徴とする請求項１に記載の共通色再現範囲決定装置。
【請求項４】
前記書き込み権限を有しない使用者が前記記録対象である画像データへアクセスした場合に、色再現に関する通知をする第１の通知手段を有することを特徴とする請求項３に記載の共通色再現範囲決定装置。
【請求項５】
前記書込み権限を有しない使用者が使用する画像記録装置の色再現範囲が、前記記録対象である画像データの決定された共通色再現範囲を包含するか否かを判定する色再現範囲包含判定手段を有し、
前記色再現範囲包含判定手段により包含すると判定された場合には、
前記第１の通知手段は色再現に関する通知を行わないことを特徴とする請求項3に記載の共通色再現範囲決定装置。
【請求項６】
前記色再現範囲決定装置に蓄積された所定の画像データのアクセス権を設定するアクセス権設定手段と、
前記アクセス権設定手段により、前記画像データに対するアクセス権が変更された際に、前記画像データへのアクセス権を有する使用者に対して、色再現に関する通知をする第２の通知手段と、
を有することを特徴とする請求項１から３の何れか１項に記載の共通色再現範囲決定装置。
【請求項７】
前記アクセス権設定手段により、画像データに対するアクセス権が変更された際に、変更前後の共通色再現範囲が一致するか否かを判定する色再現範囲一致判定手段を、さらに有し、
前記色再現範囲一致判定手段により変更前後の共通色再現範囲が一致すると判定された場合には、前記第２の通知手段は色再現に関する通知を行わないことを特徴とする請求項６に記載の共通色再現範囲決定装置。
【請求項８】
画像データを蓄積すると共に、前記画像データに対する使用者のアクセス権を管理する共通色再現範囲決定方法であって、
画像データアクセス権管理テーブルに、所定の画像データと当該画像データに対する特定のアクセス権を有する使用者との関係を記憶しておき、
使用者属性情報管理テーブルに、前記使用者と当該使用者が使用可能な画像記録装置の色再現範囲を記憶しておき、
画像データアクセス権管理テーブルを参照し、記録対象画像データに対する特定のアクセス権を有する使用者を抽出する使用者抽出工程と、
使用者属性情報管理テーブルを参照し、前記使用者抽出工程において抽出した使用者が使用可能な画像記録装置の色再現範囲を抽出する色再現範囲抽出工程と、
前記色再現範囲抽出工程において抽出した色再現範囲に共通する色再現範囲を決定し、前記画像データの色再現範囲とする色再現範囲決定工程と、
を有することを特徴とする共通色再現範囲決定方法。
【請求項９】
前記特定のアクセス権は、前記記録対象である画像データに対する読取り権限を有するアクセス権であることを特徴とする請求項8に記載の共通色再現範囲決定方法。
【請求項１０】
前記特定のアクセス権は、前記記録対象である画像データに対する書き込み権限を有するアクセス権であることを特徴とする請求項８に記載の共通色再現範囲決定方法。
【請求項１１】
前記書き込み権限を有しない使用者が前記記録対象である画像データへアクセスした場合に、色再現に関する通知をする第１の通知工程を有することを特徴とする請求項１０に記載の共通色再現範囲決定方法。
【請求項１２】
前記書込み権限を有しない使用者が使用する画像記録装置の色再現範囲が、前記記録対象である画像データの決定された共通色再現範囲を包含するか否かを判定する色再現範囲包含判定工程を有し、
前記色再現範囲包含判定工程により包含すると判定された場合には、
前記第１の通知工程では色再現に関する通知を行わないことを特徴とする請求項１０に記載の共通色再現範囲決定方法。
【請求項１３】
前記色再現範囲決定装置に蓄積された所定の画像データのアクセス権を設定するアクセス権設定工程と、
前記アクセス権設定手段により、前記画像データに対するアクセス権が変更された際に、前記画像データへのアクセス権を有する使用者に対して、色再現に関する通知をする第２の通知工程と、
を有することを特徴とする請求項８から１２の何れか１項に記載の共通色再現範囲決定方法。
【請求項１４】
前記アクセス権設定工程により、画像データに対するアクセス権が変更された際に、変更前後の共通色再現範囲が一致するか否かを判定する色再現範囲一致判定工程を、さらに有し、
前記色再現範囲一致判定工程により変更前後の共通色再現範囲が一致すると判定された場合には、前記第２の通知工程では色再現に関する通知を行わないことを特徴とする請求項１３の共通色再現範囲決定方法。
【請求項１５】
請求項８から１４の何れか１項に記載された共通色再現範囲決定方法をコンピュータに実行させるプログラム。
【請求項１６】
請求項１５記載のプログラムが記録されていることを特徴とする記録媒体。
【発明の詳細な説明】
【技術分野】
【０００１】
この発明は、使用者が利用する画像データを出力する際の色再現範囲を決定する装置、方法、プログラム、及び、記録媒体に関する。
【背景技術】
【０００２】
従来より、コンピュータやコンピュータネットワークを用いて画像の処理を行う場合に、取り扱う色情報を管理するための色管理システム（カラーマネージメントシステム）が導入されている。色管理システムでは、接続されたディスプレイ、プリンタ等の出力デバイスに適正な色再現を行わせるために、画像データ内の色情報の変換等の管理を行う。
【０００３】
例えば、ディスプレイ上で画像を確認しながら作成・編集した画像データをプリンタ等により出力印刷する場合、ディスプレイとプリンタとの間で色情報のマッピングが行われる。このとき、ディスプレイにて再現可能な色の範囲（色空間内の範囲）のことをディスプレイの「色再現範囲」という。ディスプレイの「色再現範囲」がプリンタの色再現範囲を超えていると、ディスプレイを見ながら編集された画像データの色情報がプリンタの色再現範囲内へと色空間圧縮されることとなる。
【０００４】
ところが、コンピュータに複数の出力デバイスが接続されている場合、例えば、複数のプリンタが接続されている場合には、各プリンタに合った色空間圧縮を行う必要があり、印刷を行うごとに色空間圧縮処理が必要となる。したがって、色空間圧縮を行うことにより、プリンタごとに再現される色合いが微妙に異なってしまう。
【０００５】
特に、画像データを複数の使用者で共有し、且つ、使用する画像記録装置が異なる場合は、画像記録装置から出力された画像の色味が異なって、混乱が生じ易いという問題がある。
【０００６】
このため、特許文献１に係る発明では、ネットワークに接続されているプリンタの共通色再現範囲を求め、取り扱う画像データの色の範囲を前記共通色再現範囲内に予め限定するという技術が開示されている。この手法によれば、印刷の際に利用される色再現範囲を共通化することができる。
【０００７】
また、特許文献２には、ネットワークに接続されているプリンタを指定し、指定したプリンタの共通色再現範囲を求めて、入力された画像信号を共通色再現範囲に圧縮する技術が開示されている。この手法によれば、指定されたプリンタのみにより色再現範囲を共通化するので、共通色再現範囲が狭くなることを抑えることができる。
【特許文献１】特開２００１−１５７０６９号公報
【特許文献２】特開２００３−６０９２５号公報
【発明の開示】
【発明が解決しようとする課題】
【０００８】
特許文献１の手法によれば、ネットワークに接続されている全てのプリンタが対象となるため、共通色再現範囲が狭くなり易いという欠点があった。
【０００９】
特許文献２の手法によれば、単一使用者が複数のプリンタを管理することはできるものの、複数使用者間でのプリンタの指定情報の共有が考慮されていないという問題があった。
【００１０】
この発明は、以上の問題に鑑みなされたものであり、画像記録装置に共通する色再現範囲に基づいて、画像記録装置により出力した画像データの色味を統一する際に、共通する色再現範囲の圧縮を最小限に抑えることを目的とする。
【課題を解決するための手段】
【００１５】
請求項１に係る発明は、画像データを蓄積すると共に、前記画像データに対する使用者のアクセス権を管理する共通色再現範囲決定装置であって、所定の画像データと当該画像データに対する特定のアクセス権を有する使用者との関係を記憶する画像データアクセス権管理テーブルと、前記使用者と当該使用者が使用可能な画像記録装置の色再現範囲を記憶する使用者属性情報管理テーブルと、画像データアクセス権管理テーブルを参照し、記録対象である画像データに対する特定のアクセス権を有する使用者を抽出する使用者抽出手段と、使用者属性情報管理テーブルを参照し、前記使用者抽出手段により抽出した使用者が使用可能な画像記録装置の色再現範囲を抽出する色再現範囲抽出手段と、前記色再現範囲抽出手段により抽出した色再現範囲に共通する色再現範囲を決定し、前記画像データの色再現範囲とする色再現範囲決定手段と、を有することを特徴とする共通色再現範囲決定装置である。
【００１６】
請求項２に係る発明は、前記特定のアクセス権は、前記記録対象である画像データに対する読取り権限を有するアクセス権であることを特徴とする請求項１に記載の共通色再現範囲決定装置である。
【００１７】
請求項３に係る発明は、前記特定のアクセス権は、前記記録対象である画像データに対する書き込み権限を有するアクセス権であることを特徴とする請求項１に記載の共通色再現範囲決定装置である。
【００１８】
請求項４に係る発明は、前記書き込み権限を有しない使用者が前記記録対象である画像データへアクセスした場合に、色再現に関する通知をする第１の通知手段を有することを特徴とする請求項３に記載の共通色再現範囲決定装置である。
【００１９】
請求項５に係る発明は、前記書込み権限を有しない使用者が使用する画像記録装置の色再現範囲が、前記記録対象である画像データの決定された共通色再現範囲を包含するか否かを判定する色再現範囲包含判定手段を有し、前記色再現範囲包含判定手段により包含すると判定された場合には、前記第１の通知手段は色再現に関する通知を行わないことを特徴とする請求項３に記載の共通色再現範囲決定装置である。
【００２０】
請求項６に係る発明は、前記色再現範囲決定装置に蓄積された所定の画像データのアクセス権を設定するアクセス権設定手段と、前記アクセス権設定手段により、前記画像データに対するアクセス権が変更された際に、前記画像データへのアクセス権を有する使用者に対して、色再現に関する通知をする第２の通知手段と、を有することを特徴とする請求項１から３の何れか１項に記載の共通色再現範囲決定装置である。
【００２１】
請求項７に係る発明は、前記アクセス権設定手段により、画像データに対するアクセス権が変更された際に、変更前後の共通色再現範囲が一致するか否かを判定する色再現範囲一致判定手段を、さらに有し、前記色再現範囲一致判定手段により変更前後の共通色再現範囲が一致すると判定された場合には、前記第２の通知手段は色再現に関する通知を行わないことを特徴とする請求項６に記載の共通色再現範囲決定装置である。
【００２７】
請求項８に係る発明は、画像データを蓄積すると共に、前記画像データに対する使用者のアクセス権を管理する共通色再現範囲決定方法であって、画像データアクセス権管理テーブルに、所定の画像データと当該画像データに対する特定のアクセス権を有する使用者との関係を記憶しておき、使用者属性情報管理テーブルに、前記使用者と当該使用者が使用可能な画像記録装置の色再現範囲を記憶しておき、画像データアクセス権管理テーブルを参照し、記録対象画像データに対する特定のアクセス権を有する使用者を抽出する使用者抽出工程と、使用者属性情報管理テーブルを参照し、前記使用者抽出工程において抽出した使用者が使用可能な画像記録装置の色再現範囲を抽出する色再現範囲抽出工程と、前記色再現範囲抽出工程において抽出した色再現範囲に共通する色再現範囲を決定し、前記画像データの色再現範囲とする色再現範囲決定工程と、を有することを特徴とする共通色再現範囲決定方法である。
【００２８】
請求項９に係る発明は、前記特定のアクセス権は、前記記録対象である画像データに対する読取り権限を有するアクセス権であることを特徴とする請求項８に記載の共通色再現範囲決定方法である。
【００２９】
請求項１０に係る発明は、前記特定のアクセス権は、前記記録対象である画像データに対する書き込み権限を有するアクセス権であることを特徴とする請求項８に記載の共通色再現範囲決定方法である。
【００３０】
請求項１１に係る発明は、前記書き込み権限を有しない使用者が前記記録対象である画像データへアクセスした場合に、色再現に関する通知をする第１の通知工程を有することを特徴とする請求項１０に記載の共通色再現範囲決定方法である。
【００３１】
請求項１２に係る発明は、前記書込み権限を有しない使用者が使用する画像記録装置の色再現範囲が、前記記録対象である画像データの決定された共通色再現範囲を包含するか否かを判定する色再現範囲包含判定工程を有し、前記色再現範囲包含判定工程により包含すると判定された場合には、前記第１の通知工程では色再現に関する通知を行わないことを特徴とする請求項１０に記載の共通色再現範囲決定方法である。
【００３２】
請求項１３に係る発明は、前記色再現範囲決定装置に蓄積された所定の画像データのアクセス権を設定するアクセス権設定工程と、前記アクセス権設定手段により、前記画像データに対するアクセス権が変更された際に、前記画像データへのアクセス権を有する使用者に対して、色再現に関する通知をする第２の通知工程と、を有することを特徴とする請求項８から１２の何れか１項に記載の共通色再現範囲決定方法である。
【００３３】
請求項１４に係る発明は、前記アクセス権設定工程により、画像データに対するアクセス権が変更された際に、変更前後の共通色再現範囲が一致するか否かを判定する色再現範囲一致判定工程を、さらに有し、前記色再現範囲一致判定工程により変更前後の共通色再現範囲が一致すると判定された場合には、前記第２の通知工程では色再現に関する通知を行わないことを特徴とする請求項１３の共通色再現範囲決定方法である。
【００３５】
請求項１５に係る発明は、請求項８から１４の何れか１項に記載された共通色再現範囲決定方法をコンピュータに実行させるプログラムである。
【００３６】
請求項１６に係る発明は、請求項１５記載のプログラムが記録されていることを特徴とする記録媒体である。
【発明の効果】
【００３７】
以上説明したように、本発明によれば、複数の画像記録装置の共通した色再現範囲を決定する際に、記録対象である画像データに基づいて、記録対象である画像データの記録が可能な画像記録装置を選択しておき、選択された装置の各色再現範囲に共通する共通色再現範囲を決定する。そのため、不必要な画像記録装置の色再現範囲を考慮する必要がなくなり、共通色再現範囲の不要な縮小を防止することができるという効果を奏する。
【発明を実施するための最良の形態】
【００３８】
＜第１の実施の形態＞
図１は本実施形態に係る色再現範囲決定装置をコンピュータサーバ１０１にて実現した場合における、各画像記録装置に共通する共通色再現範囲を用いて画像データを出力するためのシステムの構成例を示す図である。
色再現範囲決定装置は、画像データの蓄積等を行うコンピュータサーバ１０１により実現される。コンピュータサーバ１０１は、コンピュータサーバ１０１に蓄積された画像データにアクセスするためのクライアント端末１０２，１０３、画像データを出力するための画像記録装置１０４，１０５等があり、それぞれＬＡＮ１０６に接続されている。また、ＬＡＮ１０６はルータ１０７を介して、遠隔地を結ぶネットワークであるＷＡＮ／インターネット１０８に接続されている。更に、ＷＡＮ／インターネット１０８には、ルータ１０９を介して第２のＬＡＮ１１０が接続されており、ＬＡＮ１１０にはクライアント端末１１１，１１２、画像記録装置１１３が接続されている。また、画像記録装置はＬＡＮに接続されるだけでなく、画像記録装置１１４のようにクライアント端末１０２を介して接続されることもある。
【００３９】
なお、本実施の形態においては画像記録装置としてデジタルカラー複写機を用いた場合を説明するが、本実施の形態における画像記録装置はデジタルカラー複写機に限られる物ではない。例えば、プリンタ、ＦＡＸ等であっても構わない。
また、画像記録装置でなくモニタ等の画像表示装置を対象として本発明を適用することも可能であるし、画像記録装置と画像表示装置との両者を対象として本発明を適用するこも可能である。
【００４０】
図２に本実施の形態に係る色再現範囲決定装置を実現するコンピュータサーバ１０１のブロック図を示す。コンピュータサーバ１０１は、ディスプレイ２０１、演算処理装置２０２、キーボード２０３などを備えている。また、演算処理装置２０２は、プログラムに従って動作するＣＰＵ２０４、基本的なプログラムなどが書き込まれたＲＯＭ２０５、各種プログラムや各種データを一時的に記憶するＲＡＭ２０６、各種プログラムや各種データを保存する大容量記憶装置であるハードディスク装置（ＨＤＤ）２０７、ネットワーク（ＬＡＮ）上の他のクライアント端末１０２や画像記録装置１０４と通信を行うネットワークインタフェースコントローラ（ＮｌＣ）２０８、各種Ｉ／Ｆ回路２０９，２１０，２１１を備え、それらがバス２０９等により接続されている。上述の、画像データ、アクセス権の設定情報、画像記録装置の情報を含む使用者情報は、ハードディスク装置（ＨＤＤ）２０７に蓄積されており、プログラムに従った管理が、実行される。
【００４１】
また、本発明に係わるクライアント端末１０２の基本的な構成は、ハードディスク装置２０７に保存されるプログラムやデータが異なったり、容量に差があったりする他は、コンピュータサーバ１０１と同様であるので省略する。
【００４２】
コンピュータサーバ１０１は、画像データを蓄積するだけでなく、複数の使用者が画像データを共有可能にすると共に、部外者のアクセスを排除するためのアクセス管理を行う。画像データのアクセス管理は、データファイル（画像データを保持できる最小単位のデータファイルからデータファイルの集合であるデータベースをも含むものとする）毎に、アクセス権を持つ使用者（場合によっては使用者の集まりであるグループ）が設定され、実施される。
【００４３】
さらに、コンピュータサーバ１０１のＨＤＤ２０７には、図示されていない画像データアクセス権管理ＤＢ及び、使用者属性情報管理ＤＢが構築されている。
【００４４】
このうち、画像データアクセス権管理ＤＢは図３に示すようなレイアウトの画像データアクセス権管理テーブルによって構成されており、画像データと画像データに対するアクセス権を有する使用者を関連付けて管理するためのＤＢである。
【００４５】
また、使用者属性情報管理ＤＢは、図４に示すようなレイアウトの使用者属性情報管理テーブルによって構成されており、使用者ＩＤに関連付けた状態で各属性情報を管理するためのＤＢである。
【００４６】
上記した画像データアクセス権管理テーブルによって管理されるアクセス権には、例えば、
・コンピュータサーバ１０１上のデータファイル自体の読み取りのみが可能な「読み取り」
・コンピュータサーバ１０１上のデータファイル自体の読み取りおよび書き込みが可能な「書き込み」
・「書き込み」に加え、アクセス権の変更等も可能な「フルコントロール」
等の種類（レベル）があり、データファイルを共有する上で必要なアクセス権が適宜各使用者に与えられる。コンピュータサーバ１０１は、データファイルと共にアクセス権の設定情報を管理しており、アクセス権を有する使用者にのみ該当するアクセスを許可する。上記アクセス権は、他の使用者と共有しているコンピュータサーバ１０１上のデータファイルに関するものである。つまり、「読み取り」のアクセス権を有する使用者が、クライアント端末１０２にダウンロードした画像について書き込み（編集）できるか否かを定めるものではない。「読み取り」のアクセス権を有する使用者は、コンピュータサーバ１０１上のデータファイルへの書き込み（編集、アップロード）が出来ないことを定めている。
【００４７】
なお、以上で説明したアクセス権の種類は、本発明を実施する上での一例であり、一般的なデータ管理システムでも備えているものである。例えばＷｉｎｄｏｗｓ（登録商標）２０００等においては、更に細かいアクセス権の種類を扱っており、そういったものにも本発明を適用することは可能である。
【００４８】
使用者は、通常、クライアント端末１０２，１０３あるいは１１１，１１２等から、コンピュータサーバ１０１の画像データにアクセスする。使用者が、コンピュータサーバ１０１の画像データにアクセスするためには、始めに使用者の認証を得る必要がある。例えば、使用者ＩＤおよびパスワードをクライアント端末１０２（例えば１０２）から使用者が入力すると、これをクライアント端末１０２がコンピュータサーバ１０１に送出し、コンピュータサーバ１０１が保有する使用者情報と照合し、使用者ＩＤとパスワードの組合せが一致すれば、認証に成功する。
【００４９】
コンピュータサーバ１０１が保有する使用者情報には、使用者ＩＤとパスワードの他に、所属グループ、役職、部署などを含む事が多いが、本実施例では、使用者が使用する画像記録装置１０４の情報を含んでいる。ここで、画像記録装置１０４の情報は、画像記録装置１０４の色再現範囲に関する情報であり、例えば画像記録装置１０４のＩＣＣプロファイル等が該当する。なお、画像記録装置１０４の情報は、必ずしも色再現範囲が直接的に得られる情報である必要はない。例えば、画像記録装置１０４の機種情報とし、機種情報と色再現範囲の関係を別に管理し、機種情報から色再現範囲を導き出すようにしても良い。
【００５０】
また、図５は、本実施の形態に係る色再現範囲決定装置に、ネットワークにより接続されて使用される画像記録装置１０４の例であるデジタルカラー複写機の機構部を示す断面図である。このデジタルカラー複写機において、複写機本体の上部に設けられた自動原稿送り装置（ＡＤＦ）５０１の原稿台５０２に原稿の画像面を上にして原稿束を載置し、操作部上のプリントスタートキーを押下すると、一番下に位置する原稿は給送ローラ５０３、給送ベルト５０４によってコンタクトガラス５０６上の所定の位置に給送される。一枚の原稿の給送が完了すると、原稿枚数をカウントアップするカウント機能を有している。給送された原稿は、読み取りユニット５５０によってコンタクトガラス５０６上の原稿の画像データを読み取り、読み取りが終了した原稿は、給送ベルト５０４及び排送ローラ５０５によって排出される。さらに、原稿セット検知装置５０７にて原稿台５０２に次の原稿が有ることを検知した場合、前原稿と同様にコンタクトガラス５０６上に給送される。給送ローラ５０３、給送ベルト５０４、排送ローラ５０５は搬送モータ５２６によって駆動される。
【００５１】
第１トレイ５０８、第２トレイ５０９、第３トレイ５１０に積載された転写紙は、各々第１給紙装置５１１、第２給紙装置５１２、第３給紙装置５１３によって給紙され、縦搬送ユニット５１４によってイエローの感光体５１５Ｙに当接する位置まで搬送される。読み取りユニット５５０にて読み込まれたイエロー、シアン、マゼンダ、黒の画像データは、書き込みユニット５５７から射出されるレーザを変調し、変調されたレーザによってイエロー、シアン、マゼンダ、黒の感光体５１５Ｙ、５１５Ｃ、５１５Ｍ、５１５Ｂｋに画像データの潜像が書き込まれ、各感光体に設けられた現像ユニット５２７を通過することによって各色のトナー像が形成される。そして、転写紙は各感光体５１５Ｙ、５１５Ｃ、５１５Ｍ、５１５Ｂｋの回転と等速で搬送ベルト５１６によって搬送されながら、各感光体５１５Ｙ、５１５Ｃ、５１５Ｍ、５１５Ｂｋ上のトナー像が転写される。その後、定着ユニット５１７にて画像を定着させ、排紙ユニット５１８によって排紙トレイ５１９に排出される。転写紙の両面に画像を作像する場合は、各給紙トレイ５０８〜５１０から給紙され作像された転写紙を排紙トレイ５１９側に導かないで、両面入紙搬送路５１１３に搬送し、反転ユニット５１１２でスイッチバック反転し両面搬送ユニット５１１１に送る。両面搬送ユニット５１１１に送られた転写紙は再度縦搬送ユニット５１４に送られて裏面に画像を印刷された後に排紙される。
【００５２】
また、転写紙を反転して排出する場合は上記で反転ユニット５１１２でスイッチバック反転した用紙を両面搬送ユニット５１１１に送らずに反転排紙搬送路５１１４に送り出して排紙する。感光体５１５、搬送ベルト５１６、定着ユニット５１７、排紙ユニット５１８、現像ユニット５２７はメインモータ５２５によって駆動され、各給紙装置５１１〜５１３はメインモータ５２５の駆動を各々によって伝達駆動される。縦搬送ユニット５１４はメインモータ５２５の駆動を中間クラッチ５２１によって伝達駆動される。
【００５３】
画像形成装置の原稿読み取りから、画像の書き込みまでの動作について説明する。読み取りユニット５５０は、原稿を載置するコンタクトガラス５０６と光学走査系で構成されており、光学走査系には、露光ランプ５５１、第１ミラー５５２、レンズ５５３、ＣＣＤイメージセンサ５５４、第２ミラー５５５、第３ミラー５５６等で構成されている。露光ランプ５５１及び第１ミラー５５２は、図示しない第１キャリッジ上に固定され、第２ミラー５５５及び第３ミラー５５６は図示しない第２キャリッジ上に固定されている。原稿像を読み取るときには、光路長が変わらないように、第１キャリッジ、第２キャリッジとが２対１の相対速度で機械的に走査される。この光学走査系は、図示しないスキャナ駆動モータにて駆動される。原稿画像は、ＣＣＤイメージセンサ５５４によって読み取られ、電気信号に変換されて処理される。
【００５４】
書き込みユニット５５７はレーザ出力ユニット５５８、結像レンズ５５９、ミラー５６０で構成され、レーザ出力ユニット５５８の内部には、レーザ光源であるレーザダイオード及びモータによって高速で定速回転する多角形ミラー（ポリゴンミラー）が備わっている。書き込みユニット５５７から出力されるイエロー、シアン、マゼンダ、黒の画像データで変調されたレーザ光が、画像作像系のイエロー、シアン、マゼンダ、黒の感光体５１５Ｙ、５１５Ｃ、５１５Ｍ、５１５Ｂｋに照射される。図示しないが各感光体５１５Ｙ、５１５Ｃ、５１５Ｍ、５１５Ｂｋの一端近傍のレーザビームを照射される位置に、主走査同期信号を発生するビームセンサが配置されている。
【００５５】
また、書き込みユニット５５７は、読み取りユニット５５０により読み取った画像を出力するのみでなく、ネットワークにより接続されたクライアント端末１０２からの印刷命令に応じて、画像出力を行う事が可能である。
【００５６】
以上により本実施の形態における画像記録装置１０４ついて説明した。なお、上述した画像記録装置１０４の構成は、本実施の形態において用いることができる画像記録装置１０４の一例を示すものであり、本実施の形態に係る発明がそれに限定されるものではない。
【００５７】
図６に上述した色再現範囲決定装置における画像データ登録処理のフローチャートを示し、色再現範囲決定装置の動作を説明する。
【００５８】
始めに、コンピュータサーバ１０１は、アクセスしてきた使用者に対して上述した使用者認証を与える（ステップＳ６０１）。尚、使用者認証のタイミングは、画像データの作成前でも良い。
【００５９】
次に、コンピュータサーバ１０１は、使用者からの作成した画像データの保存指示を受け取る（ステップＳ６０２）。
【００６０】
ここで、本実施の形態において対象とする画像データは、例えばデジタルカメラ等で撮影した自然画像データやそれを加工した画像データのみならず、ペイントソフト等で作成したイラスト画像データ、Ｗｏｒｄ（登録商標）やＥｘｃｅｌ（登録商標）といったアプリケーションでの文書データ等を含み、画像記録装置１０４によるカラーハードコピー出力の色味が問題となる画像データ全般を指す。
【００６１】
使用者がクライアント端末１０２において作成した画像データ等であり、クライアント端末１０２に一時的に保存されていてもよい。
【００６２】
画像データの保存指示により、クライアント端末１０２に一時的に保存された画像データがコンピュータサーバ１０１に送出され、コンピュータサーバ１０１がこれを保存する。尚、以下では画像データを作成した使用者を、他の共有使用者と明示的に区別するためオーナーと呼ぶことにする。
【００６３】
次に、コンピュータサーバ１０１は、オーナーからの画像データのアクセス権の設定入力を受け取る（ステップS６０３）。
【００６４】
コンピュータサーバ１０１はオーナーに対して、その画像データに対して自動的にアクセス権を設定する権利、例えば「フルコントロール」を与える。これによりオーナーは、該画像データを共有する他の使用者と、その使用者に必要なレベルのアクセス権とを設定することができる。
【００６５】
図７にアクセス権設定のクライアント端末１０２表示画面例を示す。同図において、『使用者名』（７０１）の下に、アクセス権を有する使用者のリストが表示されている。反転表示されている使用者名（ここでは「赤井」）に対応するアクセス権は、『アクセス権設定』（７０２）の下のチェックボックスにマークがついて表示される（ここでは「フルコントロール」）。また、「読み取り」あるいは「書き込み」に対応するチェックボックスをマウス等でクリックするとアクセス権の種類を変更することができる。
【００６６】
また「削除」表示部分をクリックすると選択された使用者がリストから削除され、該当使用者は一切のアクセス権を失う。また、「追加」表示部分をクリックすると、使用者の追加とそのアクセス権の設定が可能となる。また、「保存」表示部分をクリックすると、アクセス権の設定が終了する。
これにより、上述した画像データアクセス権管理テーブルが構成される。
【００６７】
再度、図６を参照すると、設定された使用者とアクセス権の情報は、クライアント端末１０２からコンピュータサーバ１０１に送出され、コンピュータサーバ１０１はこれを保存する（ステップＳ６０４）。
【００６８】
次に、コンピュータサーバ１０１は、設定された使用者とアクセス権の情報等に基づいて、共通色再現範囲の決定処理を行う（ステップＳ６０５）。
【００６９】
ここで、本実施の形態に係る共通色再現範囲の決定処理の第１の例について説明する。
第１の例は、該当画像データを画像記録装置１０４で出力する可能性のある使用者、即ち、読み取り権限を有する使用者を対象として、各使用者が使用する画像記録装置１０４に共通する色再現範囲を決定する例である。
【００７０】
図８にその処理フローを示す。始めに、コンピュータサーバ１０１は画像データアクセス権管理テーブルを参照する（ステップＳ８０１）。そして画像データアクセス権管理テーブルより、該当画像データに対して読み取り権限を有する使用者のＩＤを取得する処理を行う（ステップＳ８０２）。
【００７１】
上述したアクセス権の種類では、「読み取り」「書き込み」「フルコントロール」の全てが読み取り権限を有しているので、この場合、該当画像データに何らかのアクセス権を有する全ての使用者の情報が、その対象として抽出される。
【００７２】
次に、コンピュータサーバ１０１はステップＳ８０２で取得した使用者ＩＤに基づき使用者属性情報管理テーブルを参照する（ステップＳ８０３）。そして使用者属性情報管理テーブルより、該当使用者が使用する画像記録装置の色再現範囲を取得する処理を行う（ステップＳ８０４）。
【００７３】
使用者によっては、複数の画像記録装置を使用する場合がある。そのため、複数の画像記録装置の色再現範囲に関する情報が設定されている使用者もいる。その場合には、それら全ての画像記録装置の色再現範囲情報を取得する。
【００７４】
次に、共通色再現範囲の決定処理を行う（ステップＳ８０５）。画像記録装置はそれぞれ固有の色再現範囲を有している。図９はその一例を示したものであり、ＣＩＥＬＡＢ色空間で表した３台の画像記録装置Ａ，Ｂ，Ｃの色再現範囲を、Ｌ＊一定面（Ｌ＊＝４０）で切断した様子を示している。図示したように、３台の画像記録装置Ａ，Ｂ，Ｃの色再現範囲はそれぞれ異なっているが、どの画像記録装置も再現可能な領域である共通色再現波（斜線で示した領域）が存在する。共通色再現範囲の決定処理は、この共通色再現範囲を求める処理である。尚、色再現範囲は平面ではなく立体的であるため、求まる共通色再現範囲も立体的となる。
【００７５】
再度、図６を参照すると、次にコンピュータサーバ１０１は、決定した共通色再現範囲に関する情報を保存する（ステップＳ６０７）。その形式は、例えばＩＣＣプロファイル等である。
【００７６】
上述した画像データ、アクセス権および共通色再現範囲は、密接な関係を有するため、コンピュータサーバ１０１は、これらを関連付けて管理する。
【００７７】
次に、本実施の形態に係る共通色再現範囲の決定処理の第２の例について説明する。
第２の例では、該当画像データの作成に責任のある使用者、即ち、書き込み権限を有する使用者を対象として、各使用者に対応する画像記録装置に共通する共通色再現範囲を決定する。
【００７８】
その処理フローは上述した図８と同じであるが、使用者ＩＤの取得（ステップＳ８０１）において書き込み権限を有する使用者を抽出する点が異なる。即ち、上述したアクセス権の種類では、「書き込み」「フルコントロール」が書き込み権限を有しているので、このアクセス権を有する使用者が、その対象として抽出されることとなる。
【００７９】
次に、使用者が、コンピュータサーバ１０１に保存された画像データにアクセスする例を図１０（ａ）により説明する。
【００８０】
コンピュータサーバ１０１に保存された画像データへアクセスするため、始めに使用者は、クライアント端末１０２から、コンピュータサーバ１０１の使用者認証を受ける（ステップＳ１００１）。
【００８１】
次に、アクセス権を有する画像データのリストがコンピュータサーバ１０１からクライアント端末１０２に送られてクライアント端末１０２に表示されるので、認証を受けた使用者は所望の画像データを選択する（ステップＳ１００２）。
また、使用者は選択した画像データの獲得を指示する。これにより、選択情報と獲得指示がクライアント端末１０２からコンピュータサーバ１０１に送出される（ステップＳ１００３）。
尚、画像データを選択すると、画像データの獲得指示が同時に行われる構成としても構わない。
【００８２】
次に、コンピュータサーバは、選択した画像の書き込み権限を、使用者が有しているかを判断する（ステップＳ１００４）。使用者が、選択した画像の書き込み権限を有していない場合は、画像記録装置で出力した際の色再現性に関する通知をクライアント端末１０２に表示させる（ステップＳ１００５）。
【００８３】
これは、選択した画像に対して書き込み権限を有していない使用者であるため、共通色再現範囲の決定の対象から外れていることについての通知である。この使用者が、この画像を画像記録装置で出力した場合、他の使用者がこの画像を画像記録装置で出力した時の画像と、画像の色味が異なる可能性がある旨を示唆するものである。
なお、色再現性に関する通知の方法は、クライアント端末１０２に通知の内容を表示させる方法のみならず、音声等により通知する方法でも構わない。
【００８４】
尚、ステップＳ１００４，ステップＳ１００５は、上述の第２の共通色再現範囲の決定処理を行う場合であって、第１の共通色再現範囲の決定処理を行う場合は不要である。
【００８５】
次に、コンピュータサーバ１０１は、選択された画像データとその共通色再現範囲に関する情報をクライアント端末１０２に送出するので、使用者はこの画像データをクライアント端末１０２で取り扱うことが可能となる（ステップＳ１００６）。
【００８６】
また図１０（ｂ）に、使用者が、コンピュータサーバ１０１に保存された画像データにアクセスする場合の別の例を示す。同図においてステップＳ１００１〜ステップＳ１００６は、図１０（ａ）と同様なので、同じ番号を付加し、説明は省略する。
【００８７】
ステップＳ１００７においてコンピュータサーバ１０１は、アクセスしている使用者の使用者情報から、画像記録装置の色再現範囲に関する情報を抽出し、画像データの共通色再現範囲と比較する。この結果、使用者情報中の画像記録装置の色再現範囲が共通色再現範囲を包含していれば、コンピュータサーバ１０１は、色再現性に関する通知の表示（ステップＳ１００５）を省略する。
【００８８】
これは、使用者が使用する画像記録装置の色再現範囲が共通色再現範囲を包含しているため、共通色再現範囲での画像出力が可能だからである。つまり、書き込み権限を有している使用者と同等の記録画像が得られるためである。また、不要な通知を省略することで、使用者の負担が減り、操作性が向上する。
【００８９】
次に、画像記録装置を用いた画像データ出力の処理フローを図１１により説明する。
【００９０】
始めに、使用者は、コンピュータサーバ１０１に保存された画像データを獲得する（ステップＳ１１０１）。その詳細は、図１０を用いて説明した通りである。
【００９１】
画像データの獲得（ステップＳ１１０１）の後は、クライアント端末１０２にて以下の処理が行われる。
【００９２】
画像データにおける色記述は一般にｓＲＧＢである。クライアント端末１０２では、ｓＲＧＢで表現された画像データを、Ｌ＊ａ＊ｂ＊色空間における表現に変換する（ステップＳ１１０２）。
尚、画像データにおける色記述は、ｓＲＧＢに限らず、別の標準的なＲＧＢ空間（例えばＡｄｏｂｅＲＧＢ，ｓｃ−ＲＧＢ等）や、デバイス依存のＲＧＢ空間（但し、Ｌ＊ａ＊ｂ等への変換のための情報、例えばＩＣＣプロファイル等を伴なっていること）でも良い。
【００９３】
次に、共通色再現範囲への圧縮処理を行う（ステップＳ１１０３）。色空間の圧縮処理には一般に、明度の保存を優先した明度優先方式、彩度の保存を優先した彩度優先方式、色相の保存を優先した色相優先方式などやこれらの中間形態の方式がある。一般には、これらの方式を目的に応じて使い分けることがなされる。しかし、ここでの処理では方式は固定的なものとする。
【００９４】
これは、画像データを共有する各使用者が、それぞれ別々の方式を選択してしまうことを避けることを目的としている。各使用者が別々の方式を選択した場合、出力画像の色味が統一できないこととなってしまうからである。
【００９５】
上述の圧縮処理方式は、共通色再現範囲に関する情報に含まれるものであって、コンピュータサーバ上で選択・管理することができる。なお、必ずしも圧縮処理方式を共通色再現範囲に関する情報に含めて管理する必要はなく、別の方法で管理してもかまわない。
【００９６】
次に、圧縮されたＬ＊ａ＊ｂの画像データから画像記録装置の記録信号ＣＭＹＫへの変換を行う（ステップＳ１１０４）。この処理は、使用者が使用する画像記録装置に応じた処理である。
【００９７】
次に、ＣＭＹＫの記録信号に変換された画像データは、画像記録装置に送られ、画像記録装置により画像が記録される（ステップＳ１１０５）。
【００９８】
これにより、画像データを共通する使用者は、使用する画像記録装置に依らず、色味の統一された出力画像を得ることができる。
【００９９】
以上説明したように、本実施の形態によれば、複数の画像記録装置の共通した色再現範囲を決定する際に、画像データに対してアクセス権を有する使用者が使用可能な画像記録装置を選択しておき、選択された装置の各色再現範囲に共通する共通色再現範囲を決定する。そのため、不必要な画像記録装置の色再現範囲を考慮する必要がなくなり、共通色再現範囲の不要な縮小を防止することができるという効果を奏する。
【０１００】
さらに、画像データを共通する使用者は、使用する画像記録装置に依らず、色味の統一された出力画像を得ることができるという効果を奏する。
【０１０１】
さらに、アクセス権を有しない使用者に対して通知を行うことで、他の使用者がこの画像を画像記録装置で出力した時の画像と、画像の色味が異なる可能性がある旨を示唆し、画像の色味が異なることによる混乱を防ぐことが出来るという効果を奏する。
【０１０２】
＜第２の実施の形態＞
次に、本発明に係る第２の実施の形態について説明する。
第２の実施の形態は、コンピュータサーバ１０１に保存された画像データのアクセス権管理に関する。ただし、第２の実施の形態は第１の実施の形態と同様の構成で実現できるため、構成に関する説明は省略する。
【０１０３】
第２の実施の形態の共通色再現範囲決定装置によるアクセス権管理方法について、図１２（ａ）により説明する。尚、使用者認証および画像データの選択は、図１０の例と同じよう行われた状態において、使用者によるアクセス権の変更が要求されているものとして説明する。
【０１０４】
始めに、コンピュータサーバ１０１は、選択した画像に対し使用者がアクセス権の変更権限を有しているかを判断する（ステップＳ１２０１）。上述した例では、「フルコントロール」の使用者のみがその権限を有しており、有していない場合はアクセス権の変更処理は行われない。
【０１０５】
変更権限を有している場合、使用者とアクセス権の情報が、コンピュータサーバ１０１からクライアント端末１０２に送出され、使用者によるアクセス権の編集が行われる。
【０１０６】
尚、クライアント端末１０２には、例えば図７に示したような画面が表示される。編集が終了すると、変更された使用者とアクセス権の情報が、クライアント端末１０２からコンピュータサーバ１０１に送出される（ステップＳ１２０２）。
【０１０７】
コンピュータサーバ１０１は画像に対するアクセス権の設定が変更されると、新たなアクセス権に基づき画像データについて共通色再現範囲を決定する（ステップＳ１２０３）。
【０１０８】
次に、コンピュータサーバ１０１は、アクセス権を変更したことにより共通色再現範囲が変化し、画像記録装置で出力した画像の色味が異なる可能性を示唆する通知をクライアント端末１０２に、表示させる（ステップＳ１２０４）。
【０１０９】
これにより、画像記録装置で出力した画像の色味の確認の必要性に、使用者は気づくことができるので、共通色再現範囲決定装置の操作性が良くなる。
【０１１０】
次に、コンピュータサーバは、上述の通知に対する確認をとって（ステップＳ１２０４）、アクセス権の保存（ステップＳ１２０５），共通色再現範囲の決定（ステップＳ１２０６），共通色再現範囲の保存（ステップＳ１２０７）の処理を行う。
【０１１１】
尚、これらの処理は上述のアクセス権の保存（ステップＳ６０５）、共通色再現範囲の決定（ステップＳ６０５）および共通色再現範囲の保存（ステップＳ６０７）とそれぞれ同様なので説明は省略する。
【０１１２】
尚、通知に対する確認（承諾）が取れない場合は、アクセス権の編集内容は破棄され、変更処理は行われない。
【０１１３】
また、図１２（ｂ）に、画像データのアクセス権管理の別の例を示す。なお、同図においてステップＳ１２０１〜ステップＳ１２０７は、図１２（ａ）と同様なので、同じ番号を付加している。
【０１１４】
図１２（ｂ）を参照すると、アクセス権の編集処理（ステップＳ１２０２）が終了すると、コンピュータサーバは共通色再現範囲の決定（ステップＳ１２０６）を行う。
【０１１５】
次にコンピュータサーバは、新たに決定した共通色再現範囲と、画像データに関連付けて保存されていた共通色再現範囲を比較して、変更が発生したか判定する（ステップＳ１２０８）。
【０１１６】
変更が発生した場合のみ、上述の通知表示（ステップＳ１２０３）やその確認（ステップＳ１２０４）および共通色再現範囲の保存（ステップＳ１２０７）を行う。
【０１１７】
これにより、不要な通知と確認が省略されるので、使用者の負担が減り、操作性が向上する。
【０１１８】
また、図１２（ｃ）に、画像データのアクセス権管理の別の例を示す。なお、同図において図１２（ｂ）と同様のステップについては同じ番号を付している。
【０１１９】
図１２（ｃ）を参照すると、アクセス権の編集処理（ステップＳ１２０２）が終了すると、共通色再現範囲の決定（ステップＳ１２０６）を行う。
【０１２０】
次にコンピュータサーバ１０１は、新たに決定した共通色再現範囲と、画像データに関連付けて保存されていた共通色再現範囲を比較して、変更が発生したか判定する（ステップＳ１２０８）。
【０１２１】
変更が発生した場合には、通知表示に加えて、変更された共通色再現範囲による再現画像を表示する（ステップＳ１２０９）。そして、使用者によって、変更された共通色再現範囲での再現画像の確認がなされる（ステップＳ１２１０）。変更された共通色再現範囲での再現画像について確認した使用者から、共通色再現範囲の変更を了承する回答が得られた場合には、共通色再現範囲の保存（ステップＳ１２０７）を行う。共通色再現範囲の変更を了承しないとの回答が得られた場合には、決定した共通色再現範囲、及び、編集されたアクセス権を保存しない。
【０１２２】
以上説明したように、本実施の形態によれば、複数の画像記録装置の共通した色再現範囲を決定する際に、画像データに対してアクセス権を有する使用者が使用可能な画像記録装置を選択しておき、選択された装置の各色再現範囲に共通する共通色再現範囲を決定する。そのため、不必要な画像記録装置の色再現範囲を考慮する必要がなくなり、共通色再現範囲の不要な縮小を防止することができるという効果を奏する。
【０１２３】
さらに、画像データのアクセス権が設定変更された場合に、画像記録装置で出力した画像の色味が異なる可能性を示唆する通知をクライアント端末１０２に表示させることで、画像記録装置で出力した画像の色味の確認の必要性に、使用者は気づくことができるので、共通色再現範囲決定装置の操作性が良くなるという効果を奏する。
【０１２４】
＜第３の実施の形態＞
次に、本発明に係る第３の実施の形態について、図１３により説明する。
第３の実施の形態は、コンピュータサーバに保存された画像データを更新する際の共通色再現範囲の決定に関する。ただし、第３の実施の形態は第１の実施の形態と同様の構成で実現できるため、構成に関する説明は省略する。
尚、使用者認証および画像データの選択は、図１０の例と同じように済んだ状態において、使用者による更新（上書き）が要求されているものとして説明する。
【０１２５】
始めに、コンピュータサーバ１０１は、選択した画像に対して、使用者が書き込み権限を有しているかを判断する（ステップＳ１３０１）。上述したように、使用者は、「書き込み」または「フルコントロール」のアクセス権を有している必要がある。
【０１２６】
次にコンピュータサーバは、共通色再現範囲の決定を行って（ステップＳ１３０２）、新たに決定した共通色再現範囲と、画像データに関連付けて保存されていた共通色再現範囲を比較する（ステップＳ１３０３）。
【０１２７】
コンピュータサーバ１０１は、上述した共通色再現範囲の比較を行って、変更を検出した場合は、共通色再現範囲が変化し、画像記録装置で出力した画像の色味が異なる可能性を示唆する通知をクライアント端末１０２に、表示させる（ステップＳ１３０４）。
【０１２８】
これにより、画像記録装置で出力した画像の色味の確認の必要性に、使用者は気づくことができるので、色再現範囲決定装置の操作性が良くなる。
【０１２９】
次に、コンピュータサーバ１０１は通知に対する確認を行って（ステップＳ１３０５）、新たな共通色再現範囲の保存（ステップＳ１３０６）を行う。
【０１３０】
尚、意図しない共通色再現範囲の変更であった等、通知に対する確認（承諾、許可）が得られない場合は、新たな共通色再現範囲は保存せず、従来の共通色再現範囲を維持するようにするとより良い。
【０１３１】
次に、クライアント端末１０２から上書き用の画像データがコンピュータサーバに送出され、コンピュータサーバがこれを保存する（ステップＳ１３０７）。
【０１３２】
以上説明したように、本実施の形態によれば、複数の画像記録装置の共通した色再現範囲を決定する際に、画像データに対してアクセス権を有する使用者が使用可能な画像記録装置を選択しておき、選択された装置の各色再現範囲に共通する共通色再現範囲を決定する。そのため、不必要な画像記録装置の色再現範囲を考慮する必要がなくなり、共通色再現範囲の不要な縮小を防止することができるという効果を奏する。
【０１３３】
さらに、画像データの上書きが行われた場合に、コンピュータサーバ１０１が、共通色再現範囲の比較を行って、変更を検出した場合は、共通色再現範囲が変化し、画像記録装置で出力した画像の色味が異なる可能性を示唆する通知をクライアント端末１０２に、表示させることで、画像記録装置で出力した画像の色味の確認の必要性に、使用者は気づくことができるので、色再現範囲決定装置の操作性が良くなるという効果を奏する。
【０１３４】
＜第４の実施の形態＞
次に、本発明に係る第４の実施の形態について説明する。ただし、第４の実施の形態は第１の実施の形態と同様の構成で実現できるため、構成に関する説明は省略する。
第４の実施の形態は、使用者属性情報が更新される際の共通色再現範囲の設定に関する。
【０１３５】
上述したように共通色再現範囲は、画像データに対して所定のアクセス権を有する使用者の属性情報としての画像出力装置の色再現範囲の共通部分に相当する。
【０１３６】
画像データに対する所定のアクセス権の変更に関しては、上述のように対応している。しかし、使用者の属性情報としての画像出力装置の色再現範囲は、画像データと独立して管理される。よって、使用者の属性情報の変更による共通色再現範囲への反映は、別途行う必要がある。
そこで、コンピュータサーバ１０１に保存された使用者属性情報が更新される際に、共通色再現範囲を設定する場合のフローについて、図１４により説明する。
なお、使用者認証は、図１０の例と同じように済んだ状態において、使用者による使用者属性情報の更新（上書き）が要求されているものとして説明する。
【０１３７】
始めに、コンピュータサーバ１０１は、使用者が使用者属性情報の変更権限を有しているかを判断する（ステップS１４０１）。ここで、使用者属性情報の変更権限については、全ての使用者が自己の属性情報を変更できるように構成しても良いし、特定の管理者権限を有する使用者のみ変更権限を有することとしても良い。
【０１３８】
変更権限を有している場合、使用者の属性情報が、コンピュータサーバ１０１からクライアント端末１０２に送出され、使用者による属性情報の編集が行われる（ステップＳ１４０２）。
【０１３９】
なお、クライアント端末１０２には、例えば図７に示したような画面が表示される。編集が終了すると、変更された使用者の属性情報が、クライアント端末１０２からコンピュータサーバ１０１に送出される。
【０１４０】
次に、コンピュータサーバ１０１は、属性情報を変更した使用者がアクセス権を有する画像データについてアクセス権を有している使用者に対して、通知処理を行う（ステップＳ１４０３）。通知処理は、属性情報を変更したことにより共通色再現範囲が変化し、画像記録装置で出力した画像の色味が異なる可能性を示唆する通知をクライアント端末１０２に表示させることにより行われる。
【０１４１】
これにより、画像記録装置で出力した画像の色味の確認の必要性に、使用者は気づくことができるので、色再現範囲決定装置の操作性が良くなる。
【０１４２】
次に、コンピュータサーバは、上述の通知に対する確認をとって（ステップＳ１４０４）、属性情報の保存（ステップＳ１４０６）、共通色再現範囲の決定（ステップＳ１４０６）、共通色再現範囲の保存（ステップＳ１４０７）の処理を行う。
【０１４３】
なお、これらの処理は上述のアクセス権の保存（ステップＳ６０５）、および共通色再現範囲の保存（ステップＳ６０７）とそれぞれ同様である。ただし、アクセス権の編集の場合と異なり、色再現範囲の決定処理を行う対象となる画像が複数存在する可能性がある。
【０１４４】
なお、通知に対する確認（承諾）が取れない場合は、属性情報の編集内容は破棄され、更新処理は行われない。また、通知に対する確認（承諾）が取れない画像データに対しては共通色再現範囲の決定処理を行わないようにすると良い。
【０１４５】
アクセス権の編集の場合と異なり、色再現範囲の決定処理を行う対象となる画像が複数存在する可能性があるので、通知に対する確認が取れた画像データのみを共通色再現範囲決定の対象とすることで処理の負荷を軽減することができる。
【０１４６】
また、図１４（ｂ）に、画像データのアクセス権管理の別の例を示す。なお、同図においてステップＳ１４０１〜ステップＳ１４０７は、図１４（ａ）と同様なので、同じ番号を付加している。
【０１４７】
図１４（ｂ）を参照すると、アクセス権の編集処理（ステップＳ１４０２）が終了すると、コンピュータサーバは共通色再現範囲の決定（ステップＳ１４０６）を行う。
【０１４８】
次にコンピュータサーバは、新たに決定した共通色再現範囲と、画像データに関連付けて保存されていた共通色再現範囲を比較して、変更が発生したか判定する（ステップＳ１４０８）。
【０１４９】
変更が発生した場合のみ、上述の通知表示（ステップＳ１４０３）やその確認（ステップＳ１４０４）および共通色再現範囲の保存（ステップＳ１４０７）を行う。
【０１５０】
これにより、不要な通知と確認が省略されるので、使用者の負担が減り、操作性が向上する。
【０１５１】
また、図１４（ｃ）に、画像データの属性情報管理の別の例を示す。なお、同図において図１４（ｂ）と同様のステップについては同じ番号を付している。
【０１５２】
図１４（ｃ）を参照すると、アクセス権の編集処理（ステップＳ１４０２）が終了すると、共通色再現範囲の決定（ステップＳ１４０６）を行う。
【０１５３】
次にコンピュータサーバ１０１は、新たに決定した共通色再現範囲と、画像データに関連付けて保存されていた共通色再現範囲を比較して、変更が発生したか判定する（ステップＳ１４０８）。
【０１５４】
変更が発生した場合には、通知表示に加えて、変更された共通色再現範囲による再現画像を表示する（ステップＳ１４０９）。そして、使用者によって、変更された共通色再現範囲での再現画像の確認がなされる（ステップＳ１４１０）。変更された共通色再現範囲での再現画像について確認した使用者から、共通色再現範囲の変更を了承する回答が得られた場合には、共通色再現範囲の保存（ステップＳ１４０７）を行う。共通色再現範囲の変更を了承しないとの回答が得られた場合には、決定した共通色再現範囲、及び、編集された属性情報を保存しない。
【０１５５】
これにより、変更された共通色再現範囲での再現画像について確認したうえで、共通色再現範囲の変更を了承することができるため、色再現範囲決定装置の操作性が良くなる。
【０１５６】
以上説明したように、本実施の形態によれば、複数の画像記録装置の共通した色再現範囲を決定する際に、画像データに対してアクセス権を有する使用者が使用可能な画像記録装置を選択しておき、選択された装置の各色再現範囲に共通する共通色再現範囲を決定する。そのため、不必要な画像記録装置の色再現範囲を考慮する必要がなくなり、共通色再現範囲の不要な縮小を防止することができるという効果を奏する。
【０１５７】
さらに、使用者属性情報の変更が行われた場合に、コンピュータサーバ１０１が、共通色再現範囲の比較を行って、変更を検出した場合は、共通色再現範囲が変化し、画像記録装置で出力した画像の色味が異なる可能性を示唆する通知をクライアント端末１０２に、表示させることで、画像記録装置で出力した画像の色味の確認の必要性に、使用者は気づくことができるので、色再現範囲決定装置の操作性が良くなるという効果を奏する。
【０１５８】
＜第５の実施の形態＞
次に、本発明に係る第５の実施の形態について説明する。
第１〜第４の実施の形態においては、画像データと、その画像データを出力する可能性のある画像記録装置との関連付けを、使用者の画像データへのアクセス権に着目して行った。具体的には、画像データアクセス権管理テーブル、及び、使用者属性情報管理テーブルの二つのテーブルを参照することで行った。これに対して、第５の実施の形態においては、画像データと、その画像データを出力する可能性のある画像記録装置とを、直接関連付ける場合の例を示す。
ただし、第５の実施の形態の構成は、コンピュータサーバ１０１のＨＤＤ２０７に構築されたＤＢの構成のみが第１の実施の形態と異なるため、この点についてのみ説明する。
【０１５９】
第５の実施の形態では、コンピュータサーバ１０１のＨＤＤ２０７には、図示されていない使用記録装置管理ＤＢが構築されている。
【０１６０】
使用記録装置管理ＤＢは図１５に示すようなレイアウトの使用記録装置管理テーブルによって構成されており、画像データと画像データの出力に用いられる記録装置の色再現範囲とを関連付けて管理するためのＤＢである。
【０１６１】
なお、使用記録装置管理テーブルには画像データと画像データの出力に用いられる記録装置とを関連付けて管理し、各画像記録装置の色再現範囲を別のテーブル等で管理する構成としても良いことはいうまでもない。
【０１６２】
コンピュータサーバ１０１への画像データの登録処理は、ステップＳ６０３、及びステップＳ６０４が異なる以外は、第１の実施の形態と同様に図３に示したフローのように行う。
【０１６３】
本実施の形態では、ステップＳ６０３、及び、ステップＳ６０４に代えて、画像データを出力する可能性のある画像記録装置の登録処理を行う。
【０１６４】
これにより、上述した画像データアクセス権管理テーブルが構成される。
ここで対象とする画像データも、第１の実施の形態と同様である。
【０１６５】
ここで、この発明の第５の実施の形態に係る共通色再現範囲の決定処理について説明する。
本実施形態では、該当画像データを出力する可能性のある画像記録装置に共通する色再現範囲を決定する例である。
図１６にその処理フローを示す。
【０１６６】
始めに、コンピュータサーバ１０１は使用記録装置管理テーブルを参照する（ステップＳ１６０１）。そして使用記録装置管理テーブルより、該当画像データを出力する可能性のある画像記録装置の色再現範囲を取得する処理を行う（ステップＳ１６０２）。
【０１６７】
画像データによっては、複数の画像記録装置が登録されている。そのため、複数の画像記録装置の色再現範囲に関する情報が設定されている画像データもある。その場合には、それら全ての画像記録装置の色再現範囲情報を取得する。
【０１６８】
次に、取得した各画像記録装置の色再現範囲に基づいて、各画像記録装置に共通する色再現範囲を決定する（ステップＳ１６０３）。
共通色再現範囲の決定については、実施の形態１で示した図９のように、それぞれの画像記録装置が有する色再現範囲の共通する部分（どの画像記録装置も再現可能な部分）をとることによって行う。
【０１６９】
以上説明したように、本発明によれば、複数の画像記録装置の共通した色再現範囲を決定する際に、記録対象である画像データに基づいて、記録対象である画像データの記録が可能な画像記録装置を選択しておき、選択された装置の各色再現範囲に共通する共通色再現範囲を決定する。そのため、不必要な画像記録装置の色再現範囲を考慮する必要がなくなり、共通色再現範囲の不要な縮小を防止することができるという効果を奏する。
【０１７０】
また、画像データとその画像データを出力する可能性のある画像記録装置とを直接関連付けることにより、容易に共通色再現範囲の決定を行うことができるという効果を奏する。
【０１７１】
＜その他＞
図１２（ｂ）のステップＳ１２０４や、図１２（ｃ）のステップＳ１２１０では、共通色再現範囲が変更されることについて通知表示をしたり、新たな共通色再現範囲による再現画像を表示することにより、共通色再現範囲が変更されることの確認（承諾）を行っていた。
【０１７２】
ここで、確認処理の対象とする使用者については、必ずしもアクセス権を編集した画像に対してアクセス権を持つ全ての使用者を対象とする必要はない。例えば、画像に対して「フルコントロール」の権限を有する使用者のみを対象としても良いし、アクセス権とは別に確認（承諾）処理を行う使用者を設定しておく構成としても構わない。
【０１７３】
また、使用者属性情報が変更された際に、共通色再現範囲の決定を行う対象とする画像データは、図１４（ｂ）のステップＳ１４０６では、属性情報が変更された使用者がアクセス権を有する全ての画像データであった。
【０１７４】
この点、必ずしも、属性情報が変更された使用者がアクセス権を有する全ての画像データを対象としなくても良い。例えば、この使用者が「書き込み」権限を有する画像データのみを対象としても良い。
【０１７５】
これにより、色再現範囲決定装置に保存された画像データのうち、属性情報が変更された使用者がアクセス権を有する全ての画像データについて共通色再現範囲の決定処理を行う必要がなくなり、処理の負荷を軽減することが可能となる。また、属性情報が変更された使用者が「読取り」権限のみを有する画像データについては、共通色再現範囲の更新がないため、他の使用者にとっての画像データの色味の統一は保たれることとなる。
【０１７６】
また、属性情報が変更された使用者にとっては、「読取り」権限のみを有する画像データについては、ステップＳ１００５で説明した通知がなされることにより、画像の色味が異なる可能性を確認することができる。これにより、画像の色味が異なることによる混乱を防ぐことが出来る。
【０１７７】
また、アクセス権に加え、他の情報を用いて管理することも可能である。例えば、画像データ毎に画像データを編集するプロジェクトが進行中であるか否かの情報を管理する。そして、属性情報が変更された使用者がアクセス権を有する全ての画像データ（又は「書き込み」権限を有する画像データ）であって、かつ、プロジェクトが進行中である画像データを共通色再現範囲の決定を行う対象としても良い。これにより、色再現範囲決定装置に保存された画像データのうち、終了したプロジェクトで編集していた画像データについては色再現範囲の決定を行わなくて良く、処理負荷を軽減できる。また、属性情報が変更された使用者が「読取り」権限のみを有する画像データについては、共通色再現範囲の更新がないため、他の使用者にとっての画像データの色味の統一は保たれることとなる。
【０１７８】
また、この場合には、ステップＳ１００５で説明した通知を、画像データ毎に管理された画像データを編集するプロジェクトが進行中であるか否かの情報を参照し、プロジェクトが進行中でないとされている画像データに対して行うようにすればよい。
【０１７９】
これにより、プロジェクトが進行中でない画像データについては、ステップＳ１００５で説明した通知がなされることにより、画像の色味が異なる可能性を確認することができる。これにより、画像の色味が異なることによる混乱を防ぐことが出来る。
【０１８０】
また、上記した本発明の実施の形態では、共通色再現範囲決定装置をコンピュータサーバ１０１により実現した。しかし、本発明は、コンピュータサーバに限らず、単一の機器（複写機、プリンタ、モニタ）により実現してもよい。また、本発明を、複数の機器（コンピュータサーバ、インタフェイス機、データベース、複写機、プリンタなど）から構成されるシステムにより実現してもよい。
【０１８１】
また、本発明に係る共通色再現範囲決定方法は、図８に示した処理フローと同様なステップを有する方法で実現される。
【０１８２】
また、本発明は、前述した実施形態の機能を行うソフトウェア（色再現範囲決定プログラム）によって実現してもよい。この場合、ソフトウェアが本発明を構成することになる。
【０１８３】
また、前述した実施形態の機能を実現するソフトウェアのプログラムコードを、インストール可能な形式または実行可能な形式のファイルでＣＤ−ＲＯＭ、フレキシブルディスク(ＦＤ)、ＤＶＤ等のコンピュータで読取り可能な記憶媒体（または記録媒体）に格納してもよい。この場合、プログラムコードを記憶した記憶媒体は本発明を構成することになる。
【図面の簡単な説明】
【０１８４】
【図１】本発明の一実施形態に係る色再現範囲決定装置を利用して、共通する色再現範囲で画像データを出力するためのシステムを示した図である。
【図２】本発明の一実施形態に係る色再現範囲決定装置の構成を示すブロック図である。
【図３】本実施形態における画像データアクセス権管理ＤＢを構成する画像データアクセス権管理テーブルの概念図である。
【図４】本実施形態における使用者属性情報管理ＤＢを構成する使用者属性情報管理テーブルの概念図である。
【図５】本実施形態における画像記録装置の概略断面図である。
【図６】本実施形態の画像データの登録処理を示すフローチャートである。
【図７】本実施形態におけるアクセス権を設定するためのＧＵＩの一例を示す図である。
【図８】本実施形態における共通色再現範囲決定処理を示すフローチャートである。
【図９】各画像記録装置の色再現範囲に共通する共通色再現範囲を示す概念図である。
【図１０】本実施形態の通知処理を示すフローチャートである。
【図１１】本実施形態の画像出力装置を用いた画像データ出力の処理を示すフローチャートである。
【図１２】第二の実施形態における通知処理を示すフローチャートである。
【図１３】第三の実施形態における通知処理を示すフローチャートである。
【図１４】第四の実施形態における通知処理を示すフローチャートである。
【図１５】第五の実施形態における使用記録装置管理ＤＢを構成する使用記録装置管理テーブルの概念図である。
【図１６】第五の実施形態における共通色再現範囲決定処理を示すフローチャートである。
【符号の説明】
【０１８５】
１０１    コンピュータサーバ（色再現範囲決定装置の一例）
１０２，１０３    クライアント端末
１０４，１０５    画像記録装置
１０６，１１０    ＬＡＮ
１０７，１０９    ルータ
１０８    ＷＡＮ／インターネット
１１１，１１２    クライアント端末
１１３，１１４    画像記録装置
２０４    ＣＰＵ
２０５    ＲＯＭ
２０６    ＲＡＭ
２０７    ＨＤＤ
【図１】
0004701127.tif 000002
【図２】
0004701127.tif 000003
【図３】
0004701127.tif 000004
【図４】
0004701127.tif 000005
【図５】
0004701127.tif 000006
【図６】
0004701127.tif 000007
【図７】
0004701127.tif 000008
【図８】
0004701127.tif 000009
【図９】
0004701127.tif 000010
【図１０】
0004701127.tif 000011
【図１１】
0004701127.tif 000012
【図１２】
0004701127.tif 000013
【図１３】
0004701127.tif 000014
【図１４】
0004701127.tif 000015
【図１５】
0004701127.tif 000016
【図１６】
0004701127.tif 000017